(57)【特許請求の範囲】
【請求項１】
ＤＱＰＳＫ光信号の波形等化を行う波形等化器において、
遅延干渉復調器で得られた復調光信号を入力して光電変換するＯＥレシーバと、
前記ＯＥレシーバで得られた電気信号を入力して２分配する第１の分配回路と、
前記第１の分配回路で分配された電気信号の一方を入力して遅延させる第１の遅延回路と、
前記第１の分配回路で分配された電気信号の他方を入力して重み付けを与える第１の乗算回路と、
前記第１の遅延回路からの電気信号を入力して２分配する第２の分配回路と、
前記第２の分配回路で分配された電気信号の一方を入力して遅延させる第２の遅延回路と、
前記第２の分配回路で分配された電気信号の他方を入力して重み付けを与える第２の乗算回路と、
前記第２の遅延回路からの電気信号を入力して重み付けを与える第３の乗算回路と、
受信したＤＱＰＳＫ光信号のデューティ比を検出するデューティ比検出回路で得られたデューティ比信号を入力し、該デューティ比信号に応じて前記第１ないし第３の乗算回路が電気信号に対して与える重み付け量を変化させる重み付け回路と、
前記第１ないし第３の乗算回路からの電気信号を入力して加算し、出力信号として出力する加算回路と、
を備え、
前記重み付け回路は、
前記第１および第３の乗算回路の重み付け量を、前記デューティ比信号がデューティ比５０％相当の時に最小値とし、前記デューティ比信号がデューティ比５０％相当から０％相当に向かうにつれ、またはデューティ比５０％相当から１００％相当に向かうにつれ大きな値に変化させ、
前記第２の乗算回路の重み付け量を、前記第１および第３の乗算回路の重み付け量よりも大きな一定値とする
ことを特徴とする波形等化器。
【請求項２】
前記重み付け回路は、
前記第１および第３の乗算回路の重み付け量を、受信する光信号の前記デューティ比に応じて段階的に変化させることを特徴とする請求項１記載の波形等化器。
【請求項３】
ＤＱＰＳＫ光信号の波形等化を行う波形等化器において、
遅延干渉復調器で得られた復調光信号を入力して光電変換するＯＥレシーバと、
前記ＯＥレシーバで得られた電気信号を入力して２分配する第１の分配回路と、
前記第１の分配回路で分配された電気信号の一方を入力して遅延させる第１の遅延回路と、
前記第１の分配回路で分配された電気信号の他方を入力して重み付けを与える第１の乗算回路と、
前記第１の遅延回路からの電気信号を入力して２分配する第２の分配回路と、
前記第２の分配回路で分配された電気信号の一方を入力して遅延させる第２の遅延回路と、
前記第２の分配回路で分配された電気信号の他方を入力して重み付けを与える第２の乗算回路と、
前記第２の遅延回路からの電気信号を入力して重み付けを与える第３の乗算回路と、
受信したＤＱＰＳＫ光信号のスペクトル幅を検出するスペクトル幅検出回路で得られたスペクトル幅信号を入力し、該スペクトル幅信号に応じて前記第１ないし第３の乗算回路が電気信号に対して与える重み付け量を変化させる重み付け回路と、
前記第１ないし第３の乗算回路からの電気信号を入力して加算し、出力信号として出力する加算回路と、
を備え、
前記重み付け回路は、
５０％のデューティ比を持つＲＺ(Return to Zero)−ＤＱＰＳＫ光信号のスペクトル幅を基準スペクトル幅として、
前記第１および第３の乗算回路の重み付け量を、前記スペクトル幅信号が前記基準スペクトル幅相当の時に最小値とし、前記スペクトル幅信号が前記基準スペクトル幅相当より小さくなるにつれ、または前記基準スペクトル幅相当より大きくなるにつれ大きな値に変化させ、
前記第２の乗算回路の重み付け量を、前記第１および第３の乗算回路の重み付け量よりも大きな一定値とする
ことを特徴とする波形等化器。
【請求項４】
前記重み付け回路は、
前記第１および第３の乗算回路の重み付け量を、受信する光信号の前記スペクトル幅に応じて段階的に変化させることを特徴とする請求項３記載の波形等化器。
【請求項５】
請求項１から４のいずれか１項記載の波形等化器を備えることを特徴とする受信器。
【請求項６】
請求項５記載の受信器を備えることを特徴とする光伝送システム。
【発明の詳細な説明】
【技術分野】
【０００１】
本発明は、波形等化器および受信器ならびに光伝送システムに関する。
【背景技術】
【０００２】
近年のディジタル伝送システムの高速化に伴い、伝送路における信号品質劣化がディジタルデータの誤り率に与える影響が無視できなくなっている。特に、長距離光伝送システムでは、伝送路の損失のみならず、偏波モード分散（ＰＭＤ:Polarization Mode Dispersion）による波形劣化に対処する必要がある。ＰＭＤによる波形劣化に対する耐性を向上させるために、非特許文献１または特許文献１などに見られるように、受信回路の波形等化器によって電気分散補償（ＥＤＣ:Electronic Dispersion Compensation）を行う方法が知られている。
【０００３】
図８は、上述のＥＤＣを用いた受信器５１の構成例である。ここでは変調方式として、狭帯域特性や光雑音耐力に優れており高速大容量伝送に適した位相変調方式の一種である差分４値位相変調方式（ＤＱＰＳＫ:Differential Quadrature Phase Shift Keying）を用いた例を示している。図８の受信器５１は、ＤＱＰＳＫ受信光信号を遅延干渉復調器５２に入力し、得られた復調光信号をＯＥ(Optical-Electric)レシーバ５３に入力して電気信号を得る。
【０００４】
分配回路５４−１、分配回路５４−２は、この電気信号をそれぞれ遅延回路５５−１、遅延回路５５−２側と乗算回路５６−１、乗算回路５６−２側とに分配する。遅延回路５５−１、遅延回路５５−２は、分配回路５４−１、分配回路５４−２によって分配された電気信号にそれぞれ遅延を与える。また、乗算回路５６−１、乗算回路５６−２は、分配回路５４−１、５４−２によって乗算回路５６−１、５６−２側にそれぞれ分配された電気信号に対し、それぞれ重み付けを与える。また、乗算回路５６−３は、遅延回路５５−２から出力された電気信号に重み付けを与える。
【０００５】
なお、重み付け回路５７は、乗算回路５６−１、乗算回路５６−２、乗算回路５６−３が電気信号に与える重み付け量を設定する。具体的には、重み付け回路５７は、乗算回路５６−１に係るタップ♯１、乗算回路５６−２に係るタップ♯２、乗算回路５６−３に係るタップ♯３を有する。重み付け回路５７は、タップ♯１、タップ♯２、タップ♯３の出力信号によって乗算回路５６−１、乗算回路５６−２、乗算回路５６−３の重み付け係数をそれぞれ設定する。これにより、重み付け回路５７は、乗算回路５６−１、乗算回路５６−２、乗算回路５６−３が電気信号に与える重み付け量をそれぞれ設定することができる。
【０００６】
さらに、加算回路５８−１は、乗算回路５６−１、乗算回路５６−２から出力された電気信号を加算する。また、加算回路５８−２は、加算回路５８−１から出力された電気信号と乗算回路５６−３から出力された電気信号とを加算する。ここで、乗算回路５６−１、乗算回路５６−２、乗算回路５６−３が電気信号に与える重み付け量は、伝送路で発生する所定のＰＭＤ量に対してビット誤り率が最小となるように予め設定する。このような波形等化器５９を受信器５１に用いることにより、ＰＭＤによる波形劣化に伴うデータの誤り率を低減することが可能になる。
【０００７】
【非特許文献１】Ｍ．Ｎａｋａｍｕｒａ，Ｈ．Ｎｏｓａｋａ，Ｍ．Ｉｄａ，Ｋ．Ｋｕｒｉｓｈｉｍａ  ａｎｄ  Ｍ．Ｔｏｋｕｍｉｔｓｕ，ＯＦＣ２００４，ＴｕＧ４，“Ｅｌｅｃｔｒｉｃａｌ  ＰＭＤ  ｅｑｕａｌｉｚｅｒ  ＩＣｓ  ｆｏｒ  ａ  ４０−Ｇｂｉｔ／ｓ  ｔｒａｎｓｍｉｓｓｉｏｎ”
【特許文献１】特開２００８−１７４２７号公報
【発明の開示】
【発明が解決しようとする課題】
【０００８】
しかしながら、波形等化器５９の内部回路における最適な重み付け量は使用する変調方式によって異なることが分かってきた。このため、使用する送信信号の変調方式を切り替えると波形等化器５９の内部回路における重み付け量が最適値にならなくなる。従って、波形等化器５９によるＰＭＤ耐力向上の利点を最大限発揮できない、という課題が発生している。
【０００９】
図９は、出願人が波形等化器を使用して、異なる変調方式によって重み付け量がどのようになるかを確認した結果を示す図である。図９は、５０％のデューティ比を持つＲＺ(Return to Zero)−ＤＱＰＳＫ変調方式とパルス化を行わないＮＲＺ(Non Return to Zero)−ＤＱＰＳＫ変調方式に対し、所定のＰＭＤ量に対してビット誤り率が最小となるように波形等化器５９を設定した場合のＰＭＤ量と波形等化器５９の重み付け量との関係の例である。図９では、横軸にＰＭＤ量をとり、縦軸に重み付け量をとっている。この例では、波形等化器５９によるＰＭＤ耐力向上の利点を最大限発揮するためには、ＮＲＺ−ＤＱＰＳＫにおける重み付け量をＲＺ−ＤＱＰＳＫの約１．４倍に設定しなければならないことがわかる。
【００１０】
本発明は、このような背景の下に行われたものであって、使用する変調方式を切り替えても波形等化器の内部回路における重み付け量を最適値に設定でき、波形等化器によるＰＭＤ耐力向上の利点を最大限発揮できる波形等化器および受信器ならびに光伝送システムを提供することを目的とする。
【課題を解決するための手段】
【００１１】
本発明は、変調方式によって重み付け量を変化させるようにしている。このため、本発明では、変調方式の違いによって変化する項目、例えば、光信号のデューティ比や光スペクトル幅が変調方式によって異なることを利用している。すなわち、受信光信号のデューティ比や光スペクトル幅などを検出することにより、様々な変調方式に最適な重み付け量を波形等化器の内部回路に設定することを可能としている。従って、様々な変調方式に対し、波形等化器によるＰＭＤ耐力向上の利点を最大限発揮することができる。
【００１２】
すなわち、本発明の波形等化器は、光信号の波形等化を行う波形等化器において、波形等化の最適化のために設定する重み付け量を、受信する光信号の変調方式によって変化させる、ことを特徴とする。
【００１３】
また、本発明は、光波形等化を行う波形等化器において、波形等化の最適かのために設定する重み付け量を、受信する光信号のデューティ比に応じて変化させる、ことを特徴とする。このときに、重み付け回路は、受信する光信号のデューティ比に応じて重み付け量を段階的に切替えてもよい。具体的には、ＤＱＰＳＫ光信号の波形等化を行う波形等化器において、遅延干渉復調器で得られた復調光信号を入力して光電変換するＯＥレシーバと、ＯＥレシーバで得られた電気信号を入力して２分配する第１の分配回路と、第１の分配回路で分配された電気信号の一方を入力して遅延させる第１の遅延回路と、第１の分配回路で分配された電気信号の他方を入力して重み付けを与える第１の乗算回路と、第１の遅延回路からの電気信号を入力して２分配する第２の分配回路と、第２の分配回路で分配された電気信号の一方を入力して遅延させる第２の遅延回路と、第２の分配回路で分配された電気信号の他方を入力して重み付けを与える第２の乗算回路と、第２の遅延回路からの電気信号を入力して重み付けを与える第３の乗算回路と、受信したＤＱＰＳＫ光信号のデューティ比を検出するデューティ比検出回路で得られたデューティ比信号を入力し、該デューティ比信号に応じて第１ないし第３の乗算回路が電気信号に対して与える重み付け量を変化させる重み付け回路と、第１ないし第３の乗算回路からの電気信号を入力して加算し、出力信号として出力する加算回路と、を備え、重み付け回路は、第１および第３の乗算回路の重み付け量を、デューティ比信号がデューティ比５０％相当の時に最小値とし、デューティ比信号がデューティ比５０％相当から０％相当に向かうにつれ、またはデューティ比５０％相当から１００％相当に向かうにつれ大きな値に変化させ、第２の乗算回路の重み付け量を、第１および第３の乗算回路の重み付け量よりも大きな一定値とする。
【００１４】
あるいは、本発明の波形等化器は、光信号の波形等化を行う波形等化器において、波形等化の最適化のために設定する重み付け量を、受信する光信号のスペクトル幅に応じて変化させる、ことを特徴とする。このときに、重み付け回路は、受信する光信号のスペクトル幅に応じて重み付け量を段階的に切替えてもよい。具体的には、重み付け回路は、５０％のデューティ比を持つＲＺ(Return to Zero)−ＤＱＰＳＫ光信号のスペクトル幅を基準スペクトル幅として、第１および第３の乗算回路の重み付け量を、スペクトル幅信号が基準スペクトル幅相当の時に最小値とし、スペクトル幅信号が基準スペクトル幅相当より小さくなるにつれ、または基準スペクトル幅相当より大きくなるにつれ大きな値に変化させ、第２の乗算回路の重み付け量を、第１および第３の乗算回路の重み付け量よりも大きな一定値とする。
【００１５】
また、本発明を受信器としての観点から観ることもできる。すなわち、本発明の受信器は、本発明の波形等化器を備えることを特徴とする。
【００１６】
また、本発明を光伝送システムとしての観点から観ることもできる。すなわち、本発明の光伝送システムは、本発明の受信器を備えることを特徴とする。
【００１７】
すなわち、本発明の光伝送システムは、光伝送路で発生する偏波モード分散によって劣化した波形を等化する波形等化回路を有する光伝送システムにおいて、波形等化回路は、波形等化の最適化のために設定する重み付け量を、受信する光信号の変調方式によって変化させる、ことを特徴とする。
【発明の効果】
【００１８】
本発明によれば、使用する変調方式を切り替えても波形等化器の内部回路における重み付け量を最適値に設定でき、波形等化器によるＰＭＤ耐力向上の利点を最大限発揮できる。
【発明を実施するための最良の形態】
【００１９】
（本発明の第一の実施の形態）
本発明の第一の実施の形態に係る波形等化器、受信器および光伝送システムの詳細を図面を用いて説明する。ここで説明する受信器は、光伝送路で発生する偏波モード分散によって劣化した波形を等化する波形等化器を有し、光伝送システム内にて用いられる。なお、説明に当っては受信器を説明し、併せて波形等化器と光伝送システムを説明する。
【００２０】
図１は、本発明の第一の実施の形態に係るＤＱＰＳＫ方式における受信器１０の構成図である。受信器１０は、遅延干渉復調器１１と、変調方式判別部となるデューティ比検出回路１２と、波形等化回路となる波形等化器１３とを有する。遅延干渉復調器１１は、ＤＱＰＳＫ受信光信号を入力し、得られた復調光信号を波形等化器１３へ出力する。デューティ比検出回路１２は、ＤＱＰＳＫ受信光信号を入力し、得られたデューティ比信号を波形等化器１３へ出力する。
【００２１】
波形等化器１３は、遅延干渉復調器１１で得られた復調光信号を入力するＯＥレシーバ２１と、ＯＥレシーバ２１で得られた電気信号を入力する分配回路２２−１と、分配回路２２−１で分配された電気信号の一方を入力する遅延回路２３−１と、分配される他方の電気信号を入力する乗算回路２４−１と、を有する。波形等化器１３は、さらに、遅延回路２３−１からの電気信号を入力する分配回路２２−２と、分配回路２２−２で分配される電気信号の一方を入力する遅延回路２３−２と、分配される他方の電気信号を入力する乗算回路２４−２と、を有する。
【００２２】
波形等化器１３は、さらに、遅延回路２３−２からの電気信号を入力する乗算回路２４−３と、乗算回路２４−１、２４−２からの電気信号を入力して加算する加算回路２５−１と、この加算回路２５−１からの電気信号と乗算回路２４−３からの電気信号とを入力し、加算する加算回路２５−２と、乗算回路２４−１、２４−２、２４−３が電気信号に対して与える重み付け量を、デューティ比信号に応じて変化させる重み付け回路２６と、を有する。
【００２３】
次に、このように構成される受信器１０の動作について説明する。ＤＱＰＳＫ受信光信号が遅延干渉復調器１１に入力すると、遅延干渉復調器１１は復調光信号を出力する。受信器１０は、得られた復調光信号をＯＥレシーバ２１に入力して電気信号を得る。分配回路２２−１、分配回路２２−２は、この電気信号をそれぞれ遅延回路２３−１、遅延回路２３−２側と乗算回路２４−１、乗算回路２４−２側とに分配する。
【００２４】
遅延回路２３−１、遅延回路２３−２は、分配回路２２−１、分配回路２２−２によって分配された電気信号にそれぞれ遅延を与える。また、乗算回路２４−１、乗算回路２４−２は、分配回路２２−１、分配回路２２−２によって乗算回路２４−１、乗算回路２４−２側にそれぞれ分配した電気信号に対し、それぞれ重み付けを与える。また、乗算回路２４−３は、遅延回路２３−２から出力した電気信号に対し、重み付けを与える。なお、重み付け回路２６は、乗算回路２４−１、乗算回路２４−２、乗算回路２４−３が電気信号に与える重み付け量を設定する。
【００２５】
さらに、加算回路２５−１は、乗算回路２４−１、乗算回路２４−２から出力した電気信号を加算する。また、加算回路２５−２は、加算回路２５−１から出力した電気信号と乗算回路２４−３から出力した電気信号とを加算する。
【００２６】
また、受信器１０は、受信光信号の一部を変調方式判別部となるデューティ比検出回路１２に入力し、得られたデューティ比信号を重み付け回路２６に入力する。ここで、乗算回路２４−１、乗算回路２４−２、乗算回路２４−３が電気信号に与える重み付け量は、デューティ比信号を基に重み付け回路２６によって決定された値に設定される。なお、重み付け回路２６による乗算回路２４−１、乗算回路２４−２、乗算回路２４−３が電気信号に与える重み付け量の設定の具体的方法は、既に説明したとおりである。すなわち、重み付け回路２６は、乗算回路２４−１に係るタップ♯１、乗算回路２４−２に係るタップ♯２、乗算回路２４−３に係るタップ♯３を有する。重み付け回路２６は、タップ♯１、タップ♯２、タップ♯３の出力信号によって乗算回路２４−１、乗算回路２４−２、乗算回路２４−３の重み付け係数をそれぞれ設定する。これにより、重み付け回路２６は、乗算回路２４−１、乗算回路２４−２、乗算回路２４−３が電気信号に与える重み付け量をそれぞれ設定することができる。
【００２７】
図２は、第一の実施の形態におけるデューティ比と重み付け係数との関係の例である。図２は、横軸にデューティ比をとり、縦軸に重み付け係数をとる。ここではよく用いられるＤＱＰＳＫ変調方式のうち、ＲＺ−ＤＱＰＳＫ（パルス化のデューティ比：３３％、５０％、６７％）およびＮＲＺ−ＤＱＰＳＫを例として取り上げている。また、パルス化を行わないＮＲＺ−ＤＱＰＳＫ信号はデューティ比１００％としている。
【００２８】
図２のように、重み付け回路２６は、ＤＱＰＳＫ信号のデューティ比の変化に応じて乗算回路２４−１、乗算回路２４−２、乗算回路２４−３の重み付け係数を連続的に変化させる。図２の例では、タップ♯１（乗算回路２４−１）およびタップ♯３（乗算回路２４−３）の重み付け係数は、デューティ比５０％付近が最小値となる。そして、タップ♯１およびタップ♯３の重み付け係数は、デューティ比が５０％付近から０％に向かうにつれ、または、デューティ比が５０％付近から１００％に向かうにつれ、大きな値とする。また、タップ♯２（乗算回路２４−２）の重み付け係数は、タップ♯１およびタップ♯３の重み付け係数よりも大きな値のまま一定である。
【００２９】
これにより、波形等化器１３は、使用する変調方式を切替えても乗算回路２４−１、乗算回路２４−２、乗算回路２４−３が電気信号に与える重み付け量を最適値に設定できる。従って、波形等化器１３によるＰＭＤ耐力向上の利点を最大限発揮することが可能になる。
【００３０】
図３は、本発明の第一の実施の形態におけるデューティ比と重み付け係数との関係の別の例である。図３は、横軸にデューティ比をとり、縦軸に重み付け係数をとる。図３のように、ＤＱＰＳＫ信号のデューティ比の変化に応じて重み付け係数を段階的に変化させる。これにより、使用する変調方式を切り替えても乗算回路２４−１、乗算回路２４−２、乗算回路２４−３が電気信号に与える重み付け量を最適値付近に設定できる。このように重み付け係数を段階的に変化させる構成とすることにより、デューティ比に対する重み付け係数の値を３〜４種類用意すればよい。これにより、図２に示したように重み付け係数を無段階で連続的に変化させる場合と比較してデューティ比と重み付け係数との関係を対応付ける重み付け回路２６を簡略化することが可能になる。
【００３１】
例えば、重み付け係数を無段階で連続的に変化させるには演算回路などの複雑な回路が必要である。これに対し、重み付け係数を段階的に変化させるには、デューティ比の所定値に対する重み付け係数の所定値を保持するメモリと、デューティ比の所定値と重み付け係数の所定値とを比較する比較器とを備えればよい。これらのメモリや比較器は簡単な回路によって実現できる。
【００３２】
このように、受信器１０は、ディジタル光通信システムにおいて用いられる。また、変調方式に応じて適切な重み付けがなされるので、効率的かつデータの誤り率が少ない光伝送システムとすることができる。
【００３３】
（本発明の第二の実施の形態）
本発明の第二の実施の形態に係る波形等化器、受信器および光伝送システムの詳細を図面を用いて説明する。ここで説明する受信器は、光伝送路で発生する偏波モード分散によって劣化した波形を等化する波形等化器を有し、光伝送システム内にて用いられる。なお、説明に当っては受信器を説明し、併せて波形等化器と光伝送システムを説明する。
【００３４】
図４は、本発明の第二の実施の形態に係るＤＱＰＳＫ方式における受信器１０Ａの構成例である。受信器１０Ａは、受信器１０とは僅かに異なる。以下では、第一の実施の形態と同一または同種の部分は同一または同一系の符号を用いて説明し、その説明を省略または簡略化し、かつ異なる部分について主として説明する。
【００３５】
図４において、第一の実施の形態との違いは、受信光信号の一部を変調方式判別部となるスペクトル幅検出回路３０に入力し、得られたスペクトル幅信号を重み付け回路２６Ａに入力することである。ここで、乗算回路２４−１、乗算回路２４−２、乗算回路２４−３が電気信号に与える重み付け量は、スペクトル幅信号を基に重み付け回路２６Ａによって決定された値に設定される。
【００３６】
図５は、本発明の第二の実施の形態におけるスペクトル幅と重み付け係数との関係の例である。図５の例では、タップ♯１（乗算回路２４−１）およびタップ♯３（乗算回路２４−３）の重み付け係数は、スペクトル幅Ｗ１付近が最小値となる。そして、タップ♯１およびタップ♯３の重み付け係数は、スペクトル幅がＷ１付近から狭くなるにつれ、または、スペクトル幅がＷ１付近から広くなるにつれ、大きな値となる。また、タップ♯２（乗算回路２４−２）の重み付け係数は、タップ♯１およびタップ♯３の重み付け係数よりも大きな値のまま一定である。
【００３７】
図５のように、重み付け回路１６Ａは、ＤＱＰＳＫ信号のスペクトル幅の変化に応じて乗算回路２４−１、乗算回路２４−２、乗算回路２４−３が電気信号に与える重み付け量を連続的に変化させる。これにより、使用する変調方式を切り替えても重み付けを最適値に設定できる。このため、波形等化器１３ＡによるＰＭＤ耐力向上の利点を最大限発揮することが可能になる。
【００３８】
図６は、本発明の第二の実施の形態におけるスペクトル幅と重み付け係数との関係の別の例である。図６のように、ＤＱＰＳＫ信号のスペクトル幅の変化に応じて重み付け係数を段階的に変化させることにより、使用する変調方式を切替えても重み付けを最適値付近に設定できる。このように重み付け係数を段階的に変化させる構成とすることにより、スペクトル幅に対する重み付け係数の値を３〜４種類用意すればよい。これにより、図５に示したように重み付け係数を無段階で連続的に変化させる場合と比較してスペクトル幅と重み付けとの関係を対応付ける重み付け回路２６Ａを簡略化することが可能になる。なお、重み付け係数を段階的に変化させる構成とすることにより、重み付け回路２６Ａを簡略化できる理由については既に説明したとおりである。
【００３９】
（本発明の第一および第二の実施の形態の効果）
図７は、本発明の第一および第二の実施の形態であるＤＱＰＳＫ方式における受信器１０、１０Ａの構成例の効果を示す図である。横軸はＰＭＤに起因する偏波モード分散量であり、縦軸はＱ(Quality)ペナルティである。Ｑペナルティは、その値が小さいほどデータの誤り率が低いものとなり好ましい。ここで、受信器１０、１０Ａに入力する受信光信号は４４．６Ｇｂｉｔ／ｓのＮＲＺ−ＤＱＰＳＫとした。また、波形等化有りのときの等化量は、ＲＺ−ＤＱＰＳＫにおける最適値の約１．４倍に設定してある。許容するＱペナルティを２ｄＢとした場合に、重み付け回路２６、２６Ａによる重み付けを行うことにより、波形等化をしない場合と比較してＰＭＤ耐力を約３０％増加させることができる。
【００４０】
（その他の実施の形態）
本発明の実施の形態は、本発明の要旨を逸脱しない限り、様々に変更が可能である。例えば、第一の実施の形態および第二の実施の形態において３端子の波形等化器１３、波形等化器１３Ａを用いて説明したが、端子の数は３より多くてもよい。また、第一の実施の形態および第二の実施の形態において、波形等化器１３、波形等化器１３Ａとして線形等化器を用いて説明したが、判定帰還型等化器などの非線形等化器を用いてもよい。また、第一の実施の形態および第二の実施の形態において、光信号の変調方式をＤＱＰＳＫとして説明したが、各種の位相変調方式や他のデューティ比やスペクトル幅の異なる変調方式に適用してもよい。
【００４１】
また、上述の各実施の形態では変調方式の判別と重み付けをデューティ比検出回路１２やスペクトル幅検出回路３０などで自動的に行うようにしたが、光信号の中に変調方式を示すデータを入れておき、そのデータを受信器が読み取り変調方式を判別し、判別した結果に基づき、重み付けを変えるようにしてもよい。また、受信器や波形等化器としては、特許文献１や非特許文献１に記載されているような構成を採用してもよい。
【産業上の利用可能性】
【００４２】
本発明は、あらゆるディジタル光通信システムに利用できる。
【図面の簡単な説明】
【００４３】
【図１】本発明の第一の実施の形態に係るＤＱＰＳＫ方式における受信器の構成例を示す図である。
【図２】図１に示す波形等化器におけるデューティ比と重み付け係数との関係の例を示す図である。
【図３】図１に示す波形等化器におけるデューティ比と重み付け係数との関係の別の例を示す図である。
【図４】本発明の第二の実施の形態に係るＤＱＰＳＫ方式における受信器の構成例を示す図である。
【図５】図４に示す波形等化器におけるスペクトル幅と重み付け係数との関係の例を示す図である。
【図６】図４に示す波形等化器におけるスペクトル幅と重み付け係数との関係の別の例を示す図である。
【図７】本発明の第一および第二の実施の形態の効果を示す図である。
【図８】ＤＱＰＳＫ方式にＥＤＣを用いる方法における従来の受信器の構成例を示す図である。
【図９】図８に示す波形等化器における５０％のデューティ比を持つＲＺ−ＤＱＰＳＫ変調方式とパルス化を行わないＮＲＺ−ＤＱＰＳＫ変調方式に対し、所定のＰＭＤ量に対してビット誤り率が最小となるように波形等化器を設定した場合のＰＭＤ量と波形等化器の内部回路における重み付け量との関係の例を示す図である。
【符号の説明】
【００４４】
１０、１０Ａ  受信器、１１  遅延干渉復調器、１２  デューティ比検出回路（変調方式判別部）、１３、１３Ａ  波形等化器、２１  ＯＥレシーバ、２２−１、２２−２  分配回路、２３−１、２３−２  遅延回路、２４−１、２４−２、２４−３  乗算回路、２５−１、２５−２  加算回路、２６、２６Ａ  重み付け回路、３０  スペクトル幅検出回路（変調方式判別部）
【図１】
0005042925.tif 000002
【図２】
0005042925.tif 000003
【図３】
0005042925.tif 000004
【図４】
0005042925.tif 000005
【図５】
0005042925.tif 000006
【図６】
0005042925.tif 000007
【図７】
0005042925.tif 000008
【図８】
0005042925.tif 000009
【図９】
0005042925.tif 000010